(57)【要約】【課題】  割り箸に色や模様、文字、マーク等を効率よく且つ綺麗に印刷でき、量産性に優れた割り箸の提供。【解決手段】  基台１４に載置された保持枠１６に複数の割り箸を並列に配置して保持させるとともに、複数の割り箸の底側から上方向に弾性力を付与する弾性部材を備えた支持台座を基台１４上に設置し、保持枠１６によって複数の割り箸の横方向の移動を規制しながら、支持台座による弾性力により複数の割り箸の表面を平滑面として印刷用マスク１８を複数の割り箸の表面に密着させて印刷が施されてなる。【選択図】        図３
0003133792.tif 000002
【実用新案登録請求の範囲】
【請求項１】
基台に載置された保持枠に複数の割り箸を並列に配置して保持させるとともに、該複数の割り箸の底側から上方向に弾性力を付与する弾性部材を備えた支持台座を前記基台上に設置し、前記保持枠によって該複数の割り箸の横方向の移動を規制しながら、印刷用マスクを該複数の割り箸の印刷を行う表面に密着させて前記支持台座による弾性力により該複数の割り箸の表面を平滑面として、絵柄、各種マーク、文字等の印刷が施されてなることを特徴とする割り箸。
【請求項２】
前記支持台座は、前記複数の割り箸の頭端部をそれぞれ支持するとともに、該複数の割り箸の先端部は、基台によって支持された状態で、印刷用マスクを該複数の割り箸の印刷を行う表面に密着させて前記支持台座による弾性力により該複数の割り箸の表面を平滑面として、絵柄、各種マーク、文字等の印刷が施されてなることを特徴とする請求項１に記載の割り箸。
【考案の詳細な説明】
【技術分野】
【０００１】
本考案は、割り箸に係り、特に割り箸の表面に様々な絵柄が印刷されている割り箸に関する。
【背景技術】
【０００２】
割り箸は、外食産業、弁当類などに欠かせないものであり、我が国においては相当数が利用されている。割り箸には利休箸、天そげ、元禄など数種類があり、食文化的にも多大な役割を果たしている。割り箸は、材料として間伐材などの木質系の材料を利用することが最も多い。従って、通常の割り箸は、木材などの材料を加工して、そのまま利用したものが殆どであり、着色を施すことは余りなく材料本来の色を有していることが多い。
【０００３】
その一方で、特開平8-52054号公報には、色付割り箸の製造方法等の発明が開示されている。同公報記載によれば、割り箸などに着色する方法として、合成着色料を所定の割合ずつ溶解して染料を作成して、この染料に割り箸を浸漬した後、所定温度下で所定圧力を加えて染料を定着させることにより、色付割り箸を製造するようになっている。
【特許文献１】特開平8-52054号公報
【０００４】
また、特開2007-82566号公報には、箸に対する模様付与方法等の発明が開示され、具体的には、箸の模様層の上にチューブ状フィルムを外挿し、このチューブ状フィルムを加熱・収縮させることにより模様層を圧接、固定し、さらにチューブ状フィルムの上から樹脂塗料を塗布する工程を備えた発明である。
【特許文献２】特開2007-82566号公報
【考案の開示】
【考案が解決しようとする課題】
【０００５】
しかしながら、前述した特開平8-52054号公報（特許文献１）記載の発明は、浸漬作業などの色付けの工程が複雑で、多くの手間と時間を要し、製造効率が悪いという問題点があった。
また、特開2007-82566号公報（特許文献２）記載の発明は、箸を１本ずつ処理しなければならないともに、複数の工程を経る必要があるため、やはり製造効率が悪かった。
【０００６】
本考案は、このような諸事情に対処するために提案されたものであって、割り箸に色や模様を効率よく、且つ綺麗に印刷でき、量産性に優れた割り箸を提供することを目的とする。
【課題を解決するための手段】
【０００７】
上記目的を達成するために、請求項１記載の考案は、基台に載置された保持枠に複数の割り箸を並列に配置して保持させるとともに、該複数の割り箸の底側から上方向に弾性力を付与する弾性部材を備えた支持台座を前記基台上に設置し、前記保持枠によって該複数の割り箸の横方向の移動を規制しながら、印刷用マスクを該複数の割り箸の印刷を行う表面に密着させて前記支持台座による弾性力により該複数の割り箸の表面を平滑面として、絵柄、各種マーク、文字等の印刷が施されてなることを特徴とする。
【０００８】
請求項２記載の考案は、上記１項において、前記支持台座は、前記複数の割り箸の頭端部をそれぞれ支持するとともに、該複数の割り箸の先端部は、基台によって支持された状態で、印刷用マスクを該複数の割り箸の印刷を行う表面に密着させて前記支持台座による弾性力により該複数の割り箸の表面を平滑面として、絵柄、各種マーク、文字等の印刷が施されてなることを特徴とする。
【考案の効果】
【０００９】
上述のように、請求項１記載の考案によれば、保持枠の内側に複数の割り箸を並列に配置し、割り箸の横方向の移動を規制しながら支持台座の弾性力を利用して、隣接する割り箸同士の表面を平滑面とした状態で、割り箸の表面に印刷を施すようにしている。このため、印刷ムラのない綺麗な絵柄等を備えた割り箸を、効率的に製造することが可能である。
【００１０】
特に、請求項２記載の考案によれば、支持台座によって割り箸の頭端部をそれぞれ支持することにより、割り箸の印刷を施す面を平滑化し、印刷マスクとの密着性を向上させるようにしている。このため、印刷品質に優れた割り箸を提供することが可能である。
【考案を実施するための最良の形態】
【００１１】
以下、本考案に係る割り箸について添付図面を参照して説明する。図１及び図２は本考案の一つの実施形態に係る割り箸を示した図である。
図１及び図２に示される割り箸１０は、いわゆる天そげの割り箸の表面に絵柄を施したものである。このうち、図１の割り箸１０の場合は、箸１本１本に、それぞれ同じ絵柄を印刷したものである。一方、図２の割り箸１１は、５本の割り箸全体を１つのセットとして、連続模様となるように単一の絵柄を印刷したものである。絵柄を施す作業は、以下のように行う。
【００１２】
図３は、割り箸に絵柄を施す場合に使用される絵柄印刷装置の構成を示す概略斜視図、図４は絵柄印刷装置の要部である保持枠並びに支持台座を示した概略斜視図である。
【００１３】
図３に示されるように、絵柄印刷装置１２は、基台１４と、保持枠１６と、印刷用マスク１８等とから構成されている。これらのうち、基台１４は、印刷台２０上に載置されている。保持枠１６は、基台１４と一体をなし、印刷台２０の所定の位置に載置されている。また、印刷用マスク１８は、印刷台２０の側面部２０Ａに取り付けられたヒンジ２２によって、側面部２０Ａを中心として回動可能に設けられており、シルクスクリーン印刷用のスクリーン１８Ａが枠体１８Ｂに取り付けられている。スクリーン１８Ａには、割り箸への印刷用の絵柄の原版２４が配置され、原版２４を通して、所定の絵柄となるように、インクを割り箸の表面に定着させるようになっている。
【００１４】
図４に示される保持枠１６は、例えば、割り箸を５本並列に配置して保持できる形状、大きさに形成されており、割り箸の横方向の移動を規制し、印刷時のずれを防止することができるようになっている。この保持枠１６の形状並びに寸法は、絵柄を印刷しようとする割り箸の大きさや形に合わせて、最適な寸法となるように予め設定しておく。保持枠１６の場合は、図１に示されるように、５本の天そげの割り箸を並列に配置した際に、隣接する割り箸との間に隙間が生じず横方向の動きを規制し、ほぼぴったりと収まるように扇形に近い形状、寸法に設定されている。
【００１５】
保持枠１６には、割り箸の頭端部を支持する支持台座２６が、割り箸の数だけ設けられており、これらの支持台座２６上に、印刷を施そうとする割り箸の頭端部を支持させ、割り箸の頭端部を、コイルバネ２６Ａによって上方へ付勢するようにしている。
なお、図４の実施形態では弾性体としてコイルバネ２６Ａを用いているが、弾性力を付与することができれば、板バネ、ゴム、フェルト布なども利用することが可能である。また、本実施形態では、割り箸の数に合わせて支持台座２６を設置しているが、これに限らず、例えば一体化した単一の部材によって支持台座を設けることも可能である。
【００１６】
図５は前述した保持枠１６に割り箸を配置して印刷を行う際の概略斜視図で、このうち、図５（Ａ）は５本の割り箸３０を配置した状態を示し、図５（Ｂ）は２本の割り箸３０を配置した状態を示している。また、図６は、印刷時の作用を示す正面図である。
【００１７】
図５（Ａ）に示されるように、絵柄が印刷される前の５本の割り箸３０は、保持枠１６の内側に、ほぼ隙間なく並列に配置され、印刷時における横方向の動きを規制することができるようになっている。また、割り箸３０の頭端部３０Ａは、支持台座２６上に支持され、上方へコイルバネ２６Ａによる付勢力が付与されている。一方、割り箸３０の先端部３０Ｂは、保持枠１６の基台１４上に直接支持されている。
【００１８】
印刷する際は、図６に示されるように、印刷用マスク１８を実線の状態から、二点鎖線に示す矢印方向に回動させ、スクリーン１８Ａを割り箸３０の表面に密着させる。そうすると、割り箸３０は、印刷面となる表面が、スクリーン１８Ａと支持台座２６との間に挟み込まれた状態となって、コイルバネ２６Ａの付勢力が作用し、５本の各割り箸３０，３０・・は、その印刷面が平滑となり、スクリーン１８Ａによる例えばシルクスクリーンを利用した印刷が可能となる。印刷に使用されるインクは、人体に害のない安全性が確認されたものを用いる。
【００１９】
以上のように、本実施形態によれば、割り箸３０の底側から支持台座２６によって上方向に弾性力を付与するとともに、保持枠１６によって割り箸３０の横方向の移動を規制しながら印刷を行うようにしている。このため、印刷時における割り箸３０の横ずれを防止することができ、印刷を割り箸３０上の正確な位置に施すことができる。また、支持台座２６の弾性力により、印刷時の割り箸３０の表面を、平滑に保つことができるので、割り箸３０の表面に塗布されるインクの量を均一にするこができることとも相まって印刷ムラを防止することが可能となり、印刷品質が向上する。
【００２０】
なお、以上の実施形態では、割り箸３０の頭端部３０Ａを、コイルバネ２６Ａを備えた支持台座２６によって支持しているが、割り箸３０の裏面側である底の部分全体をフェルトなどの弾性を備えた部材で支持するようにしてもよい。また、割り箸３０への印刷方法はシルクスクリーンに限らず、どのような方法でもよい。
さらに、本実施形態では、５本の割り箸３０を一度に印刷するようにしているが、その数は幾つでもよい。また、割り箸には、絵柄の他、文字や各種マークを印刷することも可能である。
【産業上の利用可能性】
【００２１】
以上説明したように、本考案によれば、複数本の割り箸に絵柄を一度に印刷することができ、量産性に優れているとともに、綺麗な絵柄が印刷された割り箸を提供することが可能になった。
【図面の簡単な説明】
【００２２】
【図１】本考案の一つの実施形態に係る絵柄付割り箸を示した図である。
【図２】本考案の他の実施形態に係る絵柄付割り箸を示した図である。
【図３】割り箸に絵柄を施す場合に使用される絵柄印刷装置の構成を示す概略斜視図である。
【図４】同じく、割り箸に絵柄を施す場合に使用される絵柄印刷装置の要部である保持枠並びに支持台座を示した概略斜視図である。
【図５】同じく、割り箸に絵柄を施す場合に使用される絵柄印刷装置の要部である保持枠に割り箸を配置して印刷を行う際の概略斜視図である。
【図６】同じく、割り箸に絵柄を施す場合に使用される絵柄印刷装置の作用を示す正面図である。
【符号の説明】
【００２３】
１０  １１  割り箸
１２  絵柄印刷装置
１４  基台
１６  保持枠
１８  印刷用マスク
１８Ａ  スクリーン
１８Ｂ  枠体
２０  印刷台
２０Ａ  側面部
２２  ヒンジ
２４  原版
２６  支持台座
２６Ａ  コイルバネ
３０  割り箸
３０Ａ  頭端部
【図１】
0003133792.tif 000003
【図２】
0003133792.tif 000004
【図３】
0003133792.tif 000005
【図４】
0003133792.tif 000006
【図５】
0003133792.tif 000007
【図６】
0003133792.tif 000008
【手続補正書】
【提出日】平成19年5月22日(2007.5.22)
【手続補正１】
【補正対象書類名】実用新案登録請求の範囲
【補正対象項目名】全文
【補正方法】変更
【補正の内容】
【実用新案登録請求の範囲】
【請求項１】
割り箸の所定位置に、スクリーン印刷によって絵柄、各種マーク、文字等が印刷されてなることを特徴とする割り箸。
【請求項２】
複数の割り箸に対し一括して印刷を施すことにより、各割り箸の所定位置に、スクリーン印刷によって絵柄、各種マーク、文字等が連続模様となるように、印刷されてなることを特徴とする割り箸。
【手続補正２】
【補正対象書類名】明細書
【補正対象項目名】０００７
【補正方法】変更
【補正の内容】
【０００７】
請求項１記載の考案は、割り箸の所定位置に、スクリーン印刷によって絵柄、各種マーク、文字等が印刷されてなることを特徴とする。
【手続補正３】
【補正対象書類名】明細書
【補正対象項目名】０００８
【補正方法】変更
【補正の内容】
【０００８】
請求項２記載の考案は、複数の割り箸に対し一括して印刷を施すことにより、各割り箸の所定位置に、スクリーン印刷によって絵柄、各種マーク、文字等が連続模様となるように、印刷されてなることを特徴とする。